(57)【要約】      （修正有）【課題】一層簡素化されたシステムの組立て構造において、単独で外掛使用が可能なスマートフォンをカーオーディオの表示装置とタッチ操作ターミナルとする無線通信伝送によるカーオーディオシステムを提供する。【解決手段】第１無線通信モジュールとマルチメディアオーディオ処理装置を有する車内に設けられたメインユニットと、１台のスマートフォンと、車内に設けられた１組の無線伝送カーオーディオのメインユニットの拡声装置とからなる。スマートフォンのタッチパネルは操作してコマンドを生成することができ、無線通信によりメインユニットに伝送されてマルチメディアオーディオ処理装置を制御してオーディオデータを実行し、生成されたオーディオデータは、無線通信によりスマートフォンの表示スクリーンに伝送されて放送され、生成された音響はカーオーディオのメインユニット拡声装置から放送される。【選択図】図１
0003179256.tif 000002
【実用新案登録請求の範囲】
【請求項１】
第1無線通信モジュールとマルチメディアオーディオ処理装置を備えた自動車内に設けられたメインユニットと、
タッチパネルのある表示装置と第２無線通信モジュールを少なくとも備えた少なくとも１台のスマートフォンと、
上記メインユニットに接続された自動車内に設けられた拡声装置と、
からなり、前記マルチメディアオーディオ処理装置は複数の異なる出所のオーディオデータの実行が可能で、前記自動車内に自動車制御コンピュータシステム情報を有し、ＣＡＮバス通信と前記メインユニットとを連結して、前記自動車制御コンピュータシステム情報データが前記メインユニットのコード切替により画像、又はデジタルデータを生成し、また、上記スマートフォンのタッチパネル操作でコマンドを生成し、無線通信で前記メインユニットに伝送して前記マルチメディアオーディオ処理装置を制御してこのうちのオーディオデータを実行し、生成されたオーディオデータは無線通信で前記スマートフォンの表示装置に伝送されて放送され、生成された音響は前記カーオーディオメインユニット拡声装置から放送されることを特徴とする無線通信伝送によるカーオーディオシステム。
【請求項２】
前記メインユニットと前記スマートフォンの第1、第２無線通信モジュールはWifiモジュールであることを特徴とする請求項１に記載の無線通信伝送によるカーオーディオシステム。
【請求項３】
前記メインユニットと前記スマートフォンの間はリアルタイム・トランスポート・プロトコル（RTP）でオーディオデータを伝送することを特徴とする請求項１に記載の無線通信伝送によるカーオーディオシステム。
【請求項４】
既定のＵＳＢ伝送線で上記スマートフォンに接続された充電装置をさらに備えたことを特徴とする請求項１に記載の無線通信伝送によるカーオーディオシステム。
【請求項５】
上記メインユニットのマルチメディアオーディオ処理装置は、ＣＤ、ＤＶＤ、ＳＤメモリカード、ＵＳＢのオーディオファイルが実行可能であることを特徴とする請求項１に記載の無線通信伝送によるカーオーディオシステム。
【請求項６】
前記メインユニットのマルチメディアオーディオ処理装置は無線テレビが実施可能であることを特徴とする請求項１に記載の無線通信伝送によるカーオーディオシステム。
【請求項７】
前記メインユニットはＧＰＳセンサ（GPS Sensor）を備えることを特徴とする請求項１に記載の無線通信伝送によるカーオーディオシステム。
【請求項８】
前記メインユニットのオーディオ処理装置はＦＭ／ＡＭ放送信号を実施することを特徴とする請求項１に記載の無線通信伝送によるカーオーディオシステム。
【請求項９】
前記メインユニットは自動車用バックカメラ（Rear Camera）に接続されることを特徴とする請求項１に記載の無線通信伝送によるカーオーディオシステム。
【請求項１０】
前記メインユニットはさらに自動車走行記録装置（Digital Video Recorder）に接続されることを特徴とする請求項１に記載の無線通信伝送によるカーオーディオシステム。
【請求項１１】
前記メインユニットは外部入力端子（AUX-In）を備えることを特徴とする請求項１に記載の無線通信伝送によるカーオーディオシステム。
【請求項１２】
前記スマートフォンと近距離無線通信装置（BT Device）は連通することを特徴とする請求項１に記載の無線通信伝送によるカーオーディオシステム。
【請求項１３】
前記スマートフォンはＧＰＳモジュール（GPS Module）を備えることを特徴とする請求項１に記載の無線通信伝送によるカーオーディオシステム。
【請求項１４】
前記スマートフォンは３．５Ｇ／４Ｇ無線電話とデータ伝送システムを搭載し、前記３．５Ｇ／４Ｇ無線電話とデータ伝送システム内にはＧＰＳシステムを置いて、３．５Ｇ／４Ｇ無線電話とデータ伝送により自動車に関連走行位置の提供と情報の記録と応答を行なうことを特徴とする請求項１に記載の無線通信伝送によるカーオーディオシステム。
【請求項１５】
前記メインユニットは、
外側に置いてユーザが操作するユーザインターフェースと、
マイクロコントロールユニット（MCU）と、
前記マイクロコントロールユニットに接続されたオーディオミキサー・スイッチャー（Video SW Mixer）と、
前記マイクロコントロールユニットに接続されて前記拡声装置を制御するボリュームスイッチ（コントローラ）（Vol. SW DS）と、
前記マイクロコントロールユニットに接続されて、前記自動車電力システムから電力を取得する電力管理装置と、
からなることを特徴とする請求項１に記載の無線通信伝送によるカーオーディオシステム。
【請求項１６】
前記ユーザインターフェースは少なくとも１つのボタンを有することを特徴とする請求項１５に記載の無線通信伝送によるカーオーディオシステム。
【請求項１７】
第1無線通信モジュールとマルチメディアオーディオ処理装置を少なくとも備えた自動車内に設けられたメインユニットと、
タッチパネルのある表示装置と第２無線通信モジュールを少なくとも備えた少なくとも１台のタブレットＰＣと、
上記メインユニットに接続された自動車内に設けられた拡声装置と、
からなり、前記マルチメディアオーディオ処理装置は複数の異なる出所のオーディオデータの実行が可能で、前記自動車内に自動車制御コンピュータシステム情報を有し、ＣＡＮバス通信と前記メインユニットとを連結して、前記自動車制御コンピュータシステム情報データが前記メインユニットのコード切替により画像、又はデジタルデータを生成し、また、上記タブレットＰＣのタッチパネル操作でコマンドを生成し、無線通信で前記メインユニットに伝送して前記マルチメディアオーディオ処理装置を制御してこのうちのオーディオデータを実行し、生成されたオーディオデータは無線通信で前記スマートフォンの表示装置に伝送されて放送され、生成された音響は前記カーオーディオメインユニット拡声装置から放送されることを特徴とする無線通信伝送によるカーオーディオシステム。
【考案の詳細な説明】
【技術分野】
【０００１】
本考案は、無線通信伝送によるカーオーディオシステムに関し、より詳しくはスマートフォンをカーオーディオのメインユニットに掛けて、カーオーディオの表示装置とタッチ操作ターミナルとすることができ、前記スマートフォンを手に取って一般のスマートフォンとして使用できる無線通信伝送によるカーオーディオシステムに関する。
【背景技術】
【０００２】
ＤＶＤやＤＶＢ−Ｔ／ＡＴＳＣ／ＣＭＭＢ（デジタルテレビ）といった公知のカーオーディオシステムは、通常メインユニットシステムと一つ又は複数の表示パネルを備え、前記表示パネルは通常、前記メインユニットシステムから伝送されるＮＴＳＣやＰＡＬといったアナログオーディオ信号を受信して放送するように、ケーブルで前記メインユニットシステムに接続される。
【０００３】
公知の自動車オーディオ放送システムは複雑な配線が必要なため、自動車内の組立て施工にかなり手間取る。この問題に対して、特許文献１に記載の「自動車無線デジタルオーディオシステム及びその方法」では、メモリ装置と無線ネットワークインターフェースのあるオーディオメインユニットを備え、前記メモリ装置内には少なくとも１個のデジタルオーディオファイル、及び、無線ネットワークインターフェースと表示パネルのある少なくとも１台の表示装置を備え、前記無線ネットワークインターフェースにより前記オーディオメインユニットに接続されて、前記表示装置は前記無線ネットワークインターフェースで前記オーディオメインユニットから伝送されたデジタルオーディオファイルを受信して放送する。
【先行技術文献】
【特許文献】
【０００４】
【特許文献１】台湾特許第I271333号公報
【考案の概要】
【考案が解決しようとする課題】
【０００５】
然しながら、前記従来の技術では、先行案での設計は一対一のシステムであることから、応用面で依然制限されると共に、関連システムや装置面の組立てやオーディオの放送が面倒で不便である。
【０００６】
そこで、本発明者は上記の欠点が改善可能と考え、鋭意検討を重ねた結果、合理的設計で上記の課題を効果的に改善する本考案の提案に到った。
【０００７】
本考案は、このような従来の問題に鑑みてなされたものである。上記課題解決のため、本考案は、一層簡素化されたシステムの組立て構造において、単独でスマートフォンを外掛けして、カーオーディオの表示装置とタッチ操作ターミナルとすることが可能な無線通信伝送によるカーオーディオシステムを提供することを主目的とする。
【課題を解決するための手段】
【０００８】
上記課題を解決し、目的を達成するために、本考案に係る無線通信伝送によるカーオーディオシステムは、
第1無線通信モジュールとマルチメディアオーディオ処理装置を備えた自動車内に設けられたメインユニットと、
タッチパネルのある表示装置と第２無線通信モジュールを少なくとも備えた少なくとも１台のスマートフォンと、
上記メインユニットに接続された自動車内に設けられた拡声装置と、
からなり、前記マルチメディアオーディオ処理装置は複数の異なる出所のオーディオデータの実行が可能で、前記自動車内に自動車制御コンピュータシステム情報を有し、ＣＡＮバス通信と前記メインユニットとを連結して、前記自動車制御コンピュータシステム情報データが前記メインユニットのコード切替により画像、又はデジタルデータを生成し、また、上記スマートフォンのタッチパネル操作でコマンドを生成し、無線通信で前記メインユニットに伝送して前記マルチメディアオーディオ処理装置を制御してこのうちのオーディオデータを実行し、生成されたオーディオデータは無線通信で前記スマートフォンの表示装置に伝送されて放送され、生成された音響は前記カーオーディオメインユニット拡声装置から放送されることを特徴とする。
【０００９】
この好ましい実施例では、前記メインユニットと前記スマートフォンの第1、第２無線通信モジュールはWifiモジュールである。前記メインユニットと前記スマートフォンの間はリアルタイム・トランスポート・プロトコル（RTP）でオーディオデータを伝送する。
【００１０】
本考案の無線通信伝送によるカーオーディオシステムは、ＵＳＢ伝送線で上記スマートフォンに接続され、スマートフォン内の電池の充電が可能な充電装置をさらに備える。
【００１１】
この好ましい実施例では、前記メインユニットのオーディオ処理装置はＣＤ、ＤＶＤ、ＳＤメモリカード又はＵＳＢのオーディオファイルの実行が可能で、また無線テレビ（ＤＶＢ−Ｔ）も実施可能で、ＧＰＳセンサを備え、ＦＭ／ＡＭ放送信号が実行可能であり、メインユニットは自動車用バックカメラ（Rear Cammera）と外部入力端子（AUX-In）にも接続される。
【００１２】
この好ましい実施例では、上記スマートフォンは近距離無線通信（Bluetooth）機能を備え、近距離無線通信装置（BT Device）との連通が可能であり、ＧＰＳモジュール（GPS Module）をも備える。
【００１３】
この好ましい実施例では、無線通信伝送が行なえるタブレットＰＣも同様に本考案に適用が可能である。
【００１４】
本考案の無線通信伝送によるカーオーディオシステムは、無線信号でメインユニットとスマートフォンに接続され、自動車内での複雑な配線が不要で、システムが速やかに組立てられると共に、スマートフォンを車外に持ち出して単独で使用できる。
【考案の効果】
【００１５】
本考案によれば、無線通信伝送によるカーオーディオシステムが得られる。
【図面の簡単な説明】
【００１６】
【図１】本考案のシステム構造図である。
【図２】本考案の作動原理の&#35498;明図である。
【図３】本考案のナビゲーション機能の&#35498;明図である。
【図４】本考案の携帯電話を音響メインユニットに掛けた概略図である。
【考案を実施するための形態】
【００１７】
以下、本考案の実施形態を図面に基づいて説明する。なお、本考案は、以下に説明する実施形態に限定されるものではない。まず、本考案の無線通信伝送によるカーオーディオシステムの第１実施形態について説明する。
［第１実施形態］
図１は本考案の無線通信伝送によるカーオーディオシステムの構造であり、主として一台のメインユニット（Head Unit）１、複数のスマートフォン（Smart Phone、SP）２、一組の拡声装置３、充電装置４、及び近距離無線通信装置５で構成される。単一のスマートフォン２で前記メインユニット１に対応する場合、前記スマートフォン２は、図４のように、音響メインユニット１に掛けて、カーオーディオの表示装置とタッチ操作ターミナルとすることができる。
【００１８】
本考案は自動車内に組立てられ、自動車制御コンピュータシステム情報はＣＡＮバス（Can Bus）６通信によってメインユニット１と連結され、前記自動車の制御情報データがメインユニット１のコード切替で生成された画像又はデジタルデータは、無線通信でスマートフォン２に伝送されて表示又は制御される。メインユニット１はWifiの伝送システムによって複数のスマートフォン２に対応して表示及び制御ターミナルとすることが可能で、また情報共有システムに連結可能である。
【００１９】
さらに、図２によれば、本考案のメインユニット１は自動車内に設置され、第1無線通信モジュール１１とマルチメディアオーディオ処理装置を備える。第1無線通信モジュール１１はWifiモジュールで、マルチメディアオーディオ処理装置は複数の異なる出所のオーディオデータの実行が可能である。オーディオ処理装置はＣＤ、ＤＶＤ、ＳＤメモリカード又はＵＳＢのオーディオファイルが実行可能で、無線テレビ（ＤＶＢ−Ｔ）、又はＦＭ／ＡＭ放送信号の実施も可能である。メインユニット１はＧＰＳセンサ（GPS Sensor）も備え、又は自動車用バックカメラ（Rear Camnera）に接続され、又は外部入力端子（AUX-In）を有する。
【００２０】
図２で示されたメインユニット１の外側には、ユーザが操作するためのユーザインターフェース１２を備え、ユーザインターフェース１２には、ボリュームの制御、ラジオの周波数の調整、又は各種機能の操作を行なうためのボタンを有する。また、マイクロコントロールユニット（MCU）１３内には制御プログラムがあり、第1無線通信モジュール１１、オーディオミキサー・スイッチャー（VideoSW Mixer）１４、ボリュームスイッチ（コントローラ）（Vol. SW DS）１５、及び電力管理装置１６に接続される。オーディオミキサー・スイッチャー１４は画像を制御し、ボリュームスイッチ（コントローラ）１５はカーオーディオメインユニットの拡声装置３を制御し、電力管理装置１６は自動車電力システムから電力を取得する。メインユニット１はさらに自動車走行記録装置（Digital Video Recorder）１７に接続される。
【００２１】
また、本考案は一台のメインユニット１で複数のスマートフォン２に対応する。スマートフォン２のうちの一台は主制御装置に設定可能で、タッチパネル２１を備えて、内部に第２無線通信モジュールを設けてメインユニット１の第1無線通信モジュール１１と連通して、リアルタイム・トランスポート・プロトコル（RTP）でオーディオデータを伝送する。カーオーディオのメインユニットの拡声装置３は自動車内の適当な位置に設置され、メインユニット１と接続される。カーオーディオのメインユニットの拡声装置３は無線伝送機能を備えることができる。
【００２２】
スマートフォン２のタッチパネル２１は操作でコマンド（Command）を生成し、無線通信でメインユニット１に伝送されてマルチメディアオーディオ処理装置を制御して、このうちのオーディオデータを実行し、生成されたオーディオデータは無線通信でスマートフォン２のタッチパネル２１と表示スクリーンに伝送されて放送され、生成された音響はカーオーディオメインユニット拡声装置３から放送される。
【００２３】
スマートフォン２は３．５Ｇ／４Ｇ無線電話とデータ伝送システムを搭載して、自動車での使用はクラウド技術により、車両追跡、車両管理、及び配車管理の実現が可能であり、前記システム内にはＧＰＳシステムが搭載され、３．５Ｇ／４Ｇ無線電話とデータ伝送によって自動車に関連走行位置の提供と情報の記録と応答を行なう。
【００２４】
また、充電装置４はＵＳＢ伝送線でスマートフォン２に接続されてスマートフォン２内の電池の充電をする。
【００２５】
スマートフォン２内には近距離無線通信（Bluetooth）機能を備え、近距離無線通信装置（BT Device）５と連通すると共に、図３のように、スマートフォン２はＧＰＳモジュール（GPS Module）をも備え、メインユニット１内のＧＰＳアンテナモジュールで、スマートフォン２がナビゲーション機能を果たすことも可能である。下表は本考案の無線通信伝送によるカーオーディオシステムにおける各種使用機能の操作信号の出所である。
伝送モード        
適用範囲          
スマートフォン(SP)−＞コマンド(Command)−＞メインユニット(Head Unit)                                                                        
メインユニット(Head Unit)−＞リアルタイム・トランスポート・プロトコル(RTP  (Video) )−＞スマートフォン(SP)                     
ＤＶＤ  、デジタルテレビ          
メインユニット(Head Unit)−＞コマンド(Command)−＞スマートフォン(SP)、   
メインユニット(Head Unit)−＞リアルタイム・トランスポート・プロトコル(RTP  (Video)) −＞スマートフォン(SP)                       
駐車サポート等の他の機能          
スマートフォン(SP)−＞コマンド(Command)−＞メインユニット(Head Unit)                                                          
ＦＭ／ＡＭ  、ＣＤ放送          
SPによる全曲統合(出所はSP  、メインユニット-USB/SDを含む)                                              
1.SP内の歌曲を放送：      
スマートフォン(SP)−＞コマンド(Command) −＞メインユニット(Head Unit)、                                                                  
スマートフォン(SP)−＞リアルタイム・トランスポート・プロトコル(RTP (Audio)) −＞メインユニット(Head Unit)               
2.メインユニット内の歌曲を放送：   
スマートフォン(SP)−＞コマンド(Command)−＞メインユニット(Head Unit)                            
ＭＰ３          
SPによる全ビデオ統合(出所はSP 、メインユニット-USB/SDを含む)                                              
スマートフォン(SP)−＞コマンド(Command)−＞メインユニット(Head Unit)                                                                            
メインユニット(Head Unit)−＞リアルタイム・トランスポート・プロトコル(RTP  (Video) )−＞スマートフォン(SP)                       
ビデオ          
スマートフォン(SP)−＞コマンド(Command)−＞メインユニット(Head Unit)                                                                             
スマートフォン(SP)−＞リアルタイム・トランスポート・プロトコル(RTP (Audio)) −＞メインユニット(Head Unit)                                 
ＧＰＳ        
近距離無線通信装置(Bluetooth Device)−＞スマートフォン(SP) −＞コマンド(Command)−＞メインユニット(Head Unit)、         
スマートフォン(SP)−＞リアルタイム・トランスポート・プロトコル(RTP (Audio )) −＞メインユニット(Head Unit)   
又は(or)                                                    
メインユニット(Head Unit)−＞リアルタイム・トランスポート・プロトコル(RTP  (Video)) −＞スマートフォン(SP)       
近距離無線通信装置   
【００２６】
本考案の無線通信伝送によるカーオーディオシステムは無線信号でメインユニット１とスマートフォン２に接続され、自動車内での複雑な配線が不要で、システムが速やかに組立てられると共に、通常はカーオーディオのメインユニットに掛けられているスマートフォン２を車外に持ち出して単独で使用することもできることは明らかである。一般に無線通信機能が可能なブレットＰＣはサイズ規格が若干大きいものの、依然として本考案への適用が可能である。
【００２７】
以上、本考案の実施形態について図面を参照して詳述したが、具体的な構成はこの実施形態に限られるものではなく、本発明の要旨を逸脱しない範囲の設計変更等も含まれる。
【符号の説明】
【００２８】
１    メインユニット 
１１  第1無線通信モジュール 
１２  ユーザインターフェース 
１３  マイクロコントロールユニット 
１４  オーディオミキサー・スイッチャー
１５  ボリュームスイッチ（コントローラ）
１６  電力管理装置 
１７  自動車走行記録装置 
２    スマートフォン 
２１  タッチパネル 
３    拡声装置 
４    充電装置 
５    近距離無線通信装置 
６    ＣＡＮバス
【図１】
0003179256.tif 000003
【図２】
0003179256.tif 000004
【図３】
0003179256.tif 000005
【図４】
0003179256.tif 000006
【手続補正書】
【提出日】平成24年8月20日(2012.8.20)
【手続補正１】
【補正対象書類名】実用新案登録請求の範囲
【補正対象項目名】請求項１５
【補正方法】変更
【補正の内容】
【請求項１５】
前記メインユニットは、
外側に置いてユーザが操作するユーザインターフェースと、
マイクロコントロールユニット（MCU）と、
前記マイクロコントロールユニットに接続されたオーディオミキサー・スイッチャー（Video SW Mixer）と、
前記マイクロコントロールユニットに接続されて前記拡声装置を制御するボリュームスイッチ（コントローラ）（Vol. SW DS）と、
前記マイクロコントロールユニットに接続されて、自動車電力システムから電力を取得する電力管理装置と、
からなることを特徴とする請求項１に記載の無線通信伝送によるカーオーディオシステム。
【手続補正２】
【補正対象書類名】明細書
【補正対象項目名】００１２
【補正方法】変更
【補正の内容】
【００１２】
この好ましい実施例では、上記スマートフォンは近距離無線通信（Bluetooth登録商標）機能を備え、近距離無線通信装置（BT Device）との連通が可能であり、ＧＰＳモジュール（GPS Module）をも備える。
【手続補正３】
【補正対象書類名】明細書
【補正対象項目名】００１６
【補正方法】変更
【補正の内容】
【００１６】
【図１】本考案のシステム構造図である。
【図２】本考案の作動原理の説明図である。
【図３】本考案のナビゲーション機能の説明図である。
【図４】本考案の携帯電話を音響メインユニットに掛けた概略図である。
【手続補正４】
【補正対象書類名】明細書
【補正対象項目名】００２５
【補正方法】変更
【補正の内容】
【００２５】
スマートフォン２内には近距離無線通信（Bluetooth登録商標）機能を備え、近距離無線通信装置（BT Device）５と連通すると共に、図３のように、スマートフォン２はＧＰＳモジュール（GPS Module）をも備え、メインユニット１内のＧＰＳアンテナモジュールで、スマートフォン２がナビゲーション機能を果たすことも可能である。下表は本考案の無線通信伝送によるカーオーディオシステムにおける各種使用機能の操作信号の出所である。
伝送モード        
適用範囲          
スマートフォン(SP)−＞コマンド(Command)−＞メインユニット(Head Unit)                                                                        
メインユニット(Head Unit)−＞リアルタイム・トランスポート・プロトコル(RTP  (Video) )−＞スマートフォン(SP)                     
ＤＶＤ  、デジタルテレビ          
メインユニット(Head Unit)−＞コマンド(Command)−＞スマートフォン(SP)、   
メインユニット(Head Unit)−＞リアルタイム・トランスポート・プロトコル(RTP  (Video)) −＞スマートフォン(SP)                       
駐車サポート等の他の機能          
スマートフォン(SP)−＞コマンド(Command)−＞メインユニット(Head Unit)                                                          
ＦＭ／ＡＭ  、ＣＤ放送          
SPによる全曲統合(出所はSP  、メインユニット-USB/SDを含む)                                              
1.SP内の歌曲を放送：      
スマートフォン(SP)−＞コマンド(Command) −＞メインユニット(Head Unit)、                                                                  
スマートフォン(SP)−＞リアルタイム・トランスポート・プロトコル(RTP (Audio)) −＞メインユニット(Head Unit)               
2.メインユニット内の歌曲を放送：   
スマートフォン(SP)−＞コマンド(Command)−＞メインユニット(Head Unit)                            
ＭＰ３          
SPによる全ビデオ統合(出所はSP 、メインユニット-USB/SDを含む)                                              
スマートフォン(SP)−＞コマンド(Command)−＞メインユニット(Head Unit)                                                                            
メインユニット(Head Unit)−＞リアルタイム・トランスポート・プロトコル(RTP  (Video) )−＞スマートフォン(SP)                       
ビデオ          
スマートフォン(SP)−＞コマンド(Command)−＞メインユニット(Head Unit)                                                                             
スマートフォン(SP)−＞リアルタイム・トランスポート・プロトコル(RTP (Audio)) −＞メインユニット(Head Unit)                                 
ＧＰＳ        
近距離無線通信装置(Bluetooth登録商標 Device)−＞スマートフォン(SP) −＞コマンド(Command)−＞メインユニット(Head Unit)、         
スマートフォン(SP)−＞リアルタイム・トランスポート・プロトコル(RTP (Audio )) −＞メインユニット(Head Unit)   
又は(or)                                                    
メインユニット(Head Unit)−＞リアルタイム・トランスポート・プロトコル(RTP  (Video)) −＞スマートフォン(SP)       
近距離無線通信装置